(57)【要約】      （修正有）【課題】動力伝達部品を削減し、無端チエーンの伸び調整を容易に安全に行うことができる縦型回転棚装置を提供する。【解決手段】左右一対のフレームの上部に設けた従動スプロケット８と、下部に設けた駆動スプロケット１０間に無端チエーン１１を巻回し、無端チエーンに多数の水平棚１３を取付け、水平棚が不測に揺れることなく移動するように、無端チエーンの外側に形成した無端経路上で移動案内する無端ガイドレール１７ａ〜ｃを設けた回転棚装置において、電磁ブレーキ付モーター１８を直接入力軸に結合した高減速出力中空軸形の減速機１９の出力軸を直接駆動スプロケットの駆動軸９に嵌合する。無端チエーンの伸びを無くするために下方に張る際に、減速機１９を着脱せずに直接緩めて調整出来るため、安全に作業できる。【選択図】図５
0003208988.tif 000002
【実用新案登録請求の範囲】
【請求項１】
左右一対のフレームの上部に設けた従動スプロケットと、下部に設けた駆動スプロケット間に無端チエーンを巻回し、この無端チエーンに多数の水平棚を取付け、前記水平棚が不測に揺れることなく移動するように、無端チエーンの外側に形成した無端経路上で移動案内する無端ガイドレールを設けた回転棚装置において、電磁ブレーキ付モーターを直接入力軸に結合した高減速出力中空軸形の減速機の出力軸を直接駆動軸に嵌合することを特徴とする縦型回転棚装置。
【考案の詳細な説明】
【技術分野】
【０００１】  本考案は、縦型回転棚装置における水平棚を、水平軸周りに、縦長楕円形の軌跡を持って上下方向に回転走行させるようにした縦型回転棚装置に関する。
【背景技術】
【０００２】  従来、この種の縦型回転棚装置は、上部に設けた従動スプロケットと下部に設けた駆動スプロケット間に無端チエーンを巻回し、この無端チエーンに複数の水平棚を取付け、前記無端チエーンを回転させることによって、各水平棚を走行させるようになっている。このような縦型回転棚装置は、工場や倉庫あるいは事務所又はホテル等で、部品や書類等又は食器の整理や収納用として、広く使用されている。
【先行技術文献】
【特許文献】
【０００３】
【特許文献１】  特開平５−２９４４１３
【考案の概要】
【考案が解決しようとする課題】
【０００４】  上述した従来の装置での無端チエーンの駆動方法は、駆動スプロケットと一体をなす駆動軸の一端と、別置の電磁ブレーキ付モーターを直接入力軸に結合した減速機の出力軸とを巻掛電動装置により連動連結している。【０００５】  通常、無端チエーンは初期や長期使用で伸びが生じ、無端チエーンの伸びを無くすために、下部駆動スプロケットを調整する必要が生じる。【０００６】  上述の下部駆動スプロケットの調整には、同様に別置の電磁ブレーキ付モーターと結合した減速機の調整も必要になり、この電磁ブレーキ付モーターと結合した減速機も外すことになるが、縦型回転棚装置の水平棚に収納された物品等が偏って収納されている場合は、前後の水平棚群の均衡を保持すべく回転する危険がある。
【課題を解決するための手段】
【０００７】  本考案は、縦型回転棚装置における無端チエーンの駆動スプロケットと一体をなす駆動軸の一端に、電磁ブレーキ付モーターを直接入力軸に結合した高減速出力中空軸形の減速機の出力軸を直接駆動軸に嵌合することを特徴としている。
【考案の効果】
【０００８】  上述した駆動スプロケットと一体をなす駆動軸の一端に主スプロケットを取付け、別置の電磁ブレーキ付モーターと一体の中実軸形減速機の出力軸に装着した減速機スプロケット間に、無端チエーンで連結して伝達している従来の動力伝達手段と比べ、本考案は、主スプロケット及びモータースプロケット等が不要になり、コスト削減になるばかりか、無端チエーンの伸びを無くするために下方に張る際に、電磁ブレーキ付モーターと一体の高減速機を着脱せずに直接緩めて調整出来るため、安全に作業できる。
【図面の簡単な説明】
【０００９】
【図１】本考案の一実施例を示す外観を示す斜視図である。
【図２】本考案の一実施例を示す回転棚装置の縦断側面図である。
【図３】本考案の一実施例を示す回転棚装置の横断平面図である。
【図４】本考案の一実施例を示す回転棚装置の縦断正面図である。
【図５】本考案の駆動機構を示す概略的斜視図である。
【図６】従来の一実施例を示す外観を示す斜視図である。
【考案を実施するための形態】
【００１０】  囲壁体内の左右一対のフレームの上部に設けた従動スプロケットと、下部に設けた駆動スプロケット間に無端チエーンを巻回し、この無端チエーンに多数の水平棚を取付け、前記水平棚が不測に揺れることなく走行するように、無端チエーンの外側に形成した無端経路上で移動案内するガイドレールを設けた回転棚装置で、駆動スプロケットの駆動軸に電磁ブレーキ付モーターと一体の高減速出力中空軸形の減速機を嵌合する。
【実施例】
【００１１】  以下、添付図面に従って本考案の一実施例を説明する。図１において１は囲壁体で、この囲壁体１は、外面はカバー２に覆われ、正面の入出庫口のみ開閉可能なシャッター３からなり、内部は骨組として下部ベース４と上梁枠５の間に、四隅に立設した支柱６と内部に一対の左右フレーム７から構成され、各々がボルトナットなどで固定されている。【００１２】  上記の様に構成された１対の左右フレーム７の上部には回転自在の従動スプロケット８が固定され、下部には調整可能な長穴で締結された駆動軸９があり、この駆動軸９に固定された駆動スプロケット１０の間に無端チエーン１１を巻回し、この無端チエーン１１にアーム１２を介して複数の水平棚１３を取り付けてある。【００１３】  アーム１２は２本１組で、その遊端間を相対回転自在に連結するピン付ハンガー１４で水平棚１３を支持させて揺動自在としている。このピン付ハンガー１４に固着したサブアーム１５の遊端に取付けられガイドローラ１６を案内するガイドレール１７が、前記チエーン１１の外側に上下に長い無端状として配設してある。このガイドレール１７は、上部の逆Ｕ状ガイドレール１７ａと直線状の中間ガイドレール１７ｂと、下部Ｕ状ガイドレール１７ｃの３分割で構成されている。【００１４】  電磁ブレーキ付モーター１８と一体の高減速出力中空軸形減速機１９が嵌合された前記駆動軸が回転すると、駆動スプロケット１０、無端チエーン１１も連動回転することで、水平棚１３もサブアーム１５のガイドローラ１６がガイドレール１７に案内され、水平軸回りを不測に揺れることなく走行させることができる。
【符号の説明】
【００１５】  １    囲壁体
２    カバー
２ａ  前面上カバー
２ｂ  前面下カバー
２ｃ  側面カバー
２ｄ  後面カバー
２ｅ  天井カバー
３    シャッター
４    下部ベース
５    上梁枠
６    支柱
６ａ  前支柱
６ｂ  後支柱
７    フレーム
８    従動スプロケット
９    駆動軸
１０    駆動スプロケット
１１    無端チエーン
１２    アーム
１３    水平棚
１４    ピン付ハンガー
１５    サブアーム
１６    ガイドローラ
１７    ガイドレール
１７ａ  上部逆Ｕガイドレール
１７ｂ  中間直線ガイドレール
１７ｃ  下部のＵ状ガイドレール
１８    電磁ブレーキ付モーター
１９    高減速出力中空軸形減速機
２０    テーブル
２１    操作パネル
２２    中実軸形減速機
２３    巻掛電動装置
【図１】
0003208988.tif 000003
【図２】
0003208988.tif 000004
【図３】
0003208988.tif 000005
【図４】
0003208988.tif 000006
【図５】
0003208988.tif 000007
【図６】
0003208988.tif 000008